【手続補正書】
【提出日】平成28年7月26日(2016.7.26)
【手続補正１】
【補正対象書類名】特許請求の範囲
【補正対象項目名】全文
【補正方法】変更
【補正の内容】
【特許請求の範囲】
【請求項１】
遊技を行うことが可能な遊技機であって、
複数の発光体と、該複数の発光体を通電によって発光させる駆動回路とを有し、
前記駆動回路は、通電によって前記複数の発光体のそれぞれに流れる電流を制限するための値に予め設定された複数の保護抵抗体が、該保護抵抗体の熱を放熱させるための放熱領域が周囲に形成されている実装電極に実装された基板を含み、
前記複数の保護抵抗体のそれぞれは、抵抗値の総和が予め設定された値となる複数の小抵抗体が直列接続されることによって形成されている
ことを特徴とする遊技機。
【手続補正２】
【補正対象書類名】明細書
【補正対象項目名】０００２
【補正方法】変更
【補正の内容】
【０００２】
遊技機から光を出力する発光体を有する遊技機がある（例えば、特許文献１参照）。
【手続補正３】
【補正対象書類名】明細書
【補正対象項目名】０００３
【補正方法】変更
【補正の内容】
【０００３】
【特許文献１】特開平１０−１０８９４０号公報
【手続補正４】
【補正対象書類名】明細書
【補正対象項目名】０００４
【補正方法】変更
【補正の内容】
【０００４】
しかしながら、これら特許文献１の遊技機にあっては、発光体の駆動回路の過熱を防止できないという問題があった。
【手続補正５】
【補正対象書類名】明細書
【補正対象項目名】０００５
【補正方法】変更
【補正の内容】
【０００５】
本発明は、このような問題点に着目してなされたもので、発光体の駆動回路の過熱を防止することのできる遊技機を提供することを目的とする。
【手続補正６】
【補正対象書類名】明細書
【補正対象項目名】０００６
【補正方法】変更
【補正の内容】
【０００６】
前記課題を解決するために、本発明の請求項１に記載の遊技機は、
遊技を行うことが可能な遊技機であって、
複数の発光体と、該複数の発光体を通電によって発光させる駆動回路とを有し、
前記駆動回路は、通電によって前記複数の発光体のそれぞれに流れる電流を制限するための値に予め設定された複数の保護抵抗体が、該保護抵抗体の熱を放熱させるための放熱領域が周囲に形成されている実装電極に実装された基板を含み、
前記複数の保護抵抗体のそれぞれは、抵抗値の総和が予め設定された値となる複数の小抵抗体が直列接続されることによって形成されている
ことを特徴としている。
この特徴によれば、発光体の駆動回路の過熱を防止することができる。
本発明の手段１に記載の遊技機は、
遊技を行うことが可能な遊技機であって、
少なくとも遊技に関連する音を出力する音出力手段と、
遊技者による操作が可能であり、前記音出力手段から出力される音量を変更する際に操作される音量調整手段と、
遊技者による操作が困難であり、前記音出力手段から出力される音量の初期音量を設定する設定手段と、
前記音出力手段から出力させる音を前記初期音量または前記音量調整手段による変更後の音量とする制御手段と、
を備え、
前記制御手段は、
所定の条件の成立により、前記音量調整手段による変更後の音量を前記初期音量に初期化し、
前記音量調整手段による変更後の音量及び前記初期音量に関わらず、予め設定された所定のエラー音量にて前記音出力手段からエラー報知音を出力させる
ことを特徴としている。
この特徴によれば、音量調整手段を有することにより、音出力手段から出力される音量を遊技者が変更できるので、遊技者の利便性を高めることができるとともに、不正を発見されないように、これら不正によるエラー報知音の音量を小さくしようとして、遊技者が音量調整手段における音量を小さな音量に変更したとしても、エラー報知音は所定のエラー音量にて出力されて報知されるので、これら遊技者による不正を防止することができる。
【手続補正７】
【補正対象書類名】明細書
【補正対象項目名】０００７
【補正方法】変更
【補正の内容】
【０００７】
本発明の手段２の遊技機は、
所定の遊技を行うことが可能な遊技機（パチンコ遊技機１）であって、
少なくとも遊技に関連する音（演出音）を出力する音出力手段（スピーカ２７Ｌ，２７Ｒ，２７ａ，２７ｂ、イアホン端子装着部６２）と、
遊技者による操作が可能な位置に設けられ、前記音出力手段から出力される音量を変更する際に操作される音量調整手段（音量変更ボタンスイッチ６１、操作レバー６００）と、
遊技場の関係者による操作に基づいて、前記音出力手段から出力される音量の上限または下限の少なくとも一方から成る音量範囲を設定する音量範囲設定手段（音量範囲設定部８３）と、
前記音出力手段から出力される音を増幅する音増幅手段（音声出力基板７０）と、
前記音量調整手段において遊技者により変更された音量に前記音増幅手段によって増幅させた音を前記音出力手段から出力させる制御を行う制御手段（演出制御用マイクロコンピュータ８１）と、
を備え、
前記音出力手段から出力される音の音量を遊技者が変更可能であるとともに、前記音量調整手段においては、前記音量範囲設定手段にて設定された音量範囲内（上限音量と下限音量の範囲内）においてのみ音量の変更が可能とされていることを特徴としている。
この特徴によれば、音量調整手段を有することにより、音出力手段から出力される音量を遊技者が変更できるので、遊技者の利便性を高めることができるとともに、音量範囲設定手段を有することで、遊技場の関係者が音出力手段から出力される音量範囲を設定でき、該遊技場の関係者により設定された音量範囲内においてのみ遊技者による音量の変更が可能とされるので、遊技場が想定していない音量の音が出力されてしまうことを防止することができる。
【手続補正８】
【補正対象書類名】明細書
【補正対象項目名】０００８
【補正方法】変更
【補正の内容】
【０００８】
本発明の手段３の遊技機は、手段２に記載の遊技機であって、
前記制御手段（演出制御用マイクロコンピュータ８１）は、電力供給が断たれた電源断が発生若しくは該電源断から起動したこと（電源断の発生後の起動時に主基板３１から初期化指定コマンドを受信したこと）を条件に、前記音量調整手段における音量として所定の初期音量（音量範囲設定部８３にて設定された初期音量）を設定する（音声出力基板７０に設定する）ことにより、遊技者により変更された音量（音声出力基板７０に設定されている音量）を初期化する一方、前記電源断の発生並びに該電源断からの起動においても、前記音量範囲設定手段（音量範囲設定部８３）にて設定された音量範囲（上限音量と下限音量）を保持することを特徴としている。
この特徴によれば、営業の終了により電力供給を断った後、翌日の営業開始時に電源を投入して起動することで、遊技者により変更された音量が自動的に初期音量に初期化されるので、これら遊技者により変更された音量を初期化するための手間を著しく低減できるとともに、これら営業の終了による電源断や翌日の起動においても、音量範囲が保持されるので、これら音量範囲を再設定する必要がなく、音量範囲を再設定する手間も著しく低減できる。
【手続補正９】
【補正対象書類名】明細書
【補正対象項目名】０００９
【補正方法】変更
【補正の内容】
【０００９】
本発明の手段５の遊技機は、手段３または４に記載の遊技機であって、
前記制御手段（演出制御用マイクロコンピュータ８１）は、遊技者が不在であることに基づく所定の不在条件が成立したこと（打球操作ハンドル（操作ノブ）５の操作がなされなくなってから所定時間が経過したことに応じて主基板３１から客待ちデモ指定コマンドを受信したこと）に応じて、前記音量調整手段における音量として所定の初期音量（音量範囲設定部８３にて設定された初期音量）を設定する（音声出力基板７０に設定する）ことにより、遊技者により変更された音量（音声出力基板７０に設定されている音量）を初期化することを特徴としている。
この特徴によれば、遊技者が交替する場合においては遊技者が不在となる期間が存在するのが通常であるので、これら遊技者の交替に伴なって遊技者が不在となって所定の不在条件が成立することにより、遊技者により変更された音量が初期音量に初期化されるので、交替前の遊技者が変更した音量による音が継続して出力されて、交替した遊技者に違和感を与えてしまう事態が発生することを低減できるとともに、これら交替した遊技者に違和感を与えてしまう事態が発生しないようにするために、遊技場の関係者が、変更された音量を初期音量に初期化する手間も著しく低減できる。
【手続補正１０】
【補正対象書類名】明細書
【補正対象項目名】００１０
【補正方法】変更
【補正の内容】
【００１０】
本発明の手段５の遊技機は、手段２〜４のいずれかに記載の遊技機であって、
前記制御手段（演出制御用マイクロコンピュータ８１）は、前記音量調整手段（操作レバー６００）における音量の変更操作（音量変更処理における左右操作）に応じて、所定の調整用音（調整音）を、該変更後の音量に前記音増幅手段（音声出力基板７０）によって増幅させて前記音出力手段（スピーカ２７Ｌ，２７Ｒ，２７ａ，２７ｂ、イアホン端子装着部６２）から出力させることを特徴としている。
この特徴によれば、変更操作による変更後の音量の調整用音が出力されることで、遊技者は、変更後の音量を逐次確認することができるようになるため、音量の変更操作を行い易くなるとともに、所望する音量への変更を的確に実施することができる。